(57)【要約】      （修正有）【課題】金型の設計が容易になり、製造が簡単になり、そして組合せ作業が容易になり、ひいては生産コストを減少することができる係止式コネクタを提供する。【解決手段】中空前台１１と、一対の導電脚１２１を収容する内台１２と、ケーブルが延びる後台１３とを含み、ケーブルのワイヤが一対の導電脚と電気的に連接し、内台は、その前が中空前台に収容され、その後ろが後台に収容され、互いに平行する少なくとも二つの割り溝１２２を有し、中空前台は、内台の前に嵌合され、内台の凹み空間１２５に対応する位置に弾性条が設けられ、後台は内台の後ろに嵌合されるプラグ構造１０と、電力を受ける電器に取付けられ、ケース２１を有し、該ケースには、前台の輪郭に合せ可能な進入穴が設けられ、前台の弾性条の係止ブロックに応じて、三角状を呈する係り穴が設けられるコンセント構造とを備える。【選択図】図１
0003163966.tif 000002
【実用新案登録請求の範囲】
【請求項１】
中空前台と、一対の導電脚を収容する内台と、ケーブルが延びる後台と、を含み、前記ケーブルのワイヤが一対の前記導電脚と電気的に連接し、前記内台は、その前が前記中空前台に収容され可能であり、その後ろが前記後台に収容され可能であり、互いに平行する少なくとも二つの割り溝を有し、二つの前記割り溝はそれぞれ前記導電脚を収容し、前記内台の前面には、一対の前記導電脚にそれぞれ対応する一対の通し孔が設けられ、前記内台の上では、開閉可能なカバーが設けられ、前記カバーの内面に凹み空間が設けられ、前記中空前台は、前記内台の前に嵌合され、その正面に前記内台の前記通し孔に対応する貫通孔が形成され、前記内台の前記凹み空間に対応する位置に弾性条が設けられ、前記弾性条には、前が斜面であり三角状を呈する係止ブロックが設けられ、前記弾性条の末端には、突出する押さえブロックが設けられ、前記後台は、前記内台の後ろに嵌合され、前記押さえブロックに応じて切り欠が設けられ、前記押さえブロックが前記切り欠から外部に露呈し、前記凹み空間へ前記押さえブロックを押さえると、前記係止ブロックが変位するプラグ構造と、
電力を受ける電器に取付けられ、ケースを有し、前記ケースには、前記前台の輪郭に合せ可能な進入穴が設けられ、前記前台は前記進入穴に挿入可能であり、前記ケースの内部に一対の導電端子が設けられ、前記プラグ構造の前記前台を挿入するときには、前記導電端子が前記通し孔と前記貫通孔とを挿通して前記導電脚と電気的に連接し、前記進入穴の内壁面には、前記前台の前記弾性条の前記係止ブロックに応じて、三角状を呈する係り穴が設けられ、前記プラグ構造を挿入するときには、前記係止ブロックが前記係り穴に係止され、これにより、前記プラグ構造が係止され、なお、前記押さえブロックを押圧することによって前記係止ブロックを変位すると、前記プラグ構造の係止状態が解除されるコンセント構造と、
を備えることを特徴とする係止式コネクタ。
【請求項２】
前記プラグ構造の前記前台はＤ字形の断面形状を有し、前記コンセント構造の前記進入穴もＤ字形の断面形状を有することを特徴とする、請求項１に記載の係止式コネクタ。
【請求項３】
前記プラグ構造の前記前台の前記弾性条の前記押さえブロックが前記弾性条の後側から突出し、前記押さえブロックの両側と前記中空前台の後側との間に切欠部がそれぞれ形成され、前記内台の後に保護枠が形成され、前記保護枠の両側がそれぞれ前記切欠部に嵌め込まれて前記押さえブロックを包むことを特徴とする、請求項１に記載の係止式コネクタ。
【請求項４】
前記プラグ構造の前記後台の上面と下面との後側に突出リブがそれぞれ設けられることを特徴とする、請求項１に記載の係止式コネクタ。
【請求項５】
前記プラグ構造の前記後台の上面と下面とに設けられた前記突出リブの近傍に多数の滑止皺がそれぞれ設けられることを特徴とする、請求項４に記載の係止式コネクタ。
【請求項６】
前記プラグ構造の前記前台の表面に止めリブが環設され、前記後台の前縁が前記止めリブに止められることを特徴とする、請求項１に記載の係止式コネクタ。
【請求項７】
前記プラグ構造の前記後台にある前記ケーブルは、前記プラグ構造の後側から延びることを特徴とする、請求項１に記載の係止式コネクタ。
【請求項８】
前記プラグ構造の前記後台にある前記ケーブルは、前記プラグ構造の側面から延びることを特徴とする、請求項１に記載の係止式コネクタ。
【請求項９】
係止式コネクタに適用され、電力を受ける電器に取付けられるコンセント構造に挿入されて電力を供給し、中空前台と、一対の導電脚を収容する内台と、ケーブルが延びる後台と、を含み、前記ケーブルのワイヤが一対の前記導電脚と電気的に連接し、前記内台は、その前方が前記中空前台に収容され可能であり、その後方が前記後台に収容され可能であり、互いに平行する少なくとも二つの割り溝を有し、二つの前記割り溝はそれぞれ前記導電脚を収容し、前記内台の前面には、一対の前記導電脚にそれぞれ対応する一対の通し孔が設けられ、前記内台の上では、開閉可能なカバーが設けられ、前記カバーの内面に凹み空間が設けられ、前記中空前台は、前記内台の前に嵌合され、前記内台の前記通し孔に対応する貫通孔が形成され、前記内台の前記凹み空間に対応する位置に弾性条が設けられ、前記弾性条には、前が斜面であり三角状を呈する係止ブロックが設けられ、前記弾性条の末端には、突出する押さえブロックが設けられ、前記後台は、前記内台の後ろに嵌合され、前記押さえブロックに応じて切り欠が設けられ、前記押さえブロックが前記切り欠から外部に露呈し、前記凹み空間へ前記押さえブロックを押さえると、前記係止ブロックが変位するプラグ構造において、
前記コンセント構造は、前記前台の輪郭に合せ可能な進入穴が設けられ、前記前台は前記進入穴に挿入可能であり、その内部に一対の導電端子が設けられ、前記プラグ構造の前記前台を挿入するときには、前記導電端子が前記通し孔と前記貫通孔とを挿通して前記導電脚と電気的に連接し、前記進入穴の内壁面には、前記前台の前記弾性条の前記係止ブロックに応じて、三角状を呈する係り穴が設けられ、前記プラグ構造を挿入するときには、前記係止ブロックが前記係り穴に係止され、これにより、前記プラグ構造が係止され、なお、前記押さえブロックを押圧することによって前記係止ブロックを変位すると、前記プラグ構造の係止状態が解除されることを特徴とするプラグ構造。
【考案の詳細な説明】
【技術分野】
【０００１】
本考案は、電力供給用コネクタに関し、特に、プラグ構造とコンセント構造とを結合して構成され、又は中空前台と内台と後台とを組合せて構成される係止式コネクタに関するものである。
【背景技術】
【０００２】
特許文献１のＰＣＴ特許ＷＯ  ２００７/１３３１６５  Ａ１の「正ロックコネクタ（Ｐｏｓｉｔｉｖｅ  ｌｏｃｋ  ｃｏｎｎｅｃｔｏｒ）」において、係止式コネクタが提案され、このようなコネクタは、電力を供給するコネクタと、電力を受けるコンセントと、に適用可能であり、例えば国際標準ＩＥＣ  ６０３２０−１にミートする。
【０００３】
上記の係止式コネクタ８は、ケースを有するコネクタ１０を含み、前記ケースには、電力を供給する第１電極末端が取付けられ、前記ケースに弾性ロック素子が配され、前記弾性ロック素子は、外部のロック位置と、内部の解除位置と、の間に移動可能である。平常時には、前記弾性ロック素子が前記ロック位置に位置する。前記係止式コネクタ８は、更に、前記コネクタ１０の前記コンセント１２を受ける凹み部分と、電力を受ける第２電極末端と、を含む。前記コネクタ１０が前記凹み部分に収容されるときには、前記第２電極末端が前記第１電極末端と電気的に連接し、前記凹み部分に係り穴が設けられる。前記弾性ロック素子が前記係り穴と干渉することにより、装置進入口１２に前記コネクタ１０を挿入するときに、前記コネクタ１０は前記装置進入口１２から離脱することができない。前記弾性ロック素子と前記係り穴との干渉が解除されたときに、前記コネクタ１０は前記装置進入口１２から離脱することができるようになる。
【０００４】
前記コネクタ１０は、一体成形されたものであり、前記第１電極末端が埋め込まれ、その外面に移動可能な前記弾性ロック素子が成形され、前記弾性ロック素子により前記コンセント１２にロックすることができる。しかし、前記弾性ロック素子は、宙に浮く構造であるため、金型によって一体成形すると、生産コストが増加し、且つ製品の不良品率が増加する問題があった。
【先行技術文献】
【特許文献】
【０００５】
【特許文献１】国際特許出願番号ＷＯ  ２００７/１３３１６５  Ａ１
【考案の概要】
【考案が解決しようとする課題】
【０００６】
本考案の主な目的は、中空前台と内台と後台とを組合せて構成されるため、金型の設計が容易になり、製造が簡単になり、そして組合せ作業が容易になり、ひいては生産コストを減少することができる係止式コネクタを提供することにある。
【課題を解決するための手段】
【０００７】
本考案の係止式コネクタによると、中空前台と、一対の導電脚を収容する内台と、ケーブルが延びる後台と、を含み、前記ケーブルのワイヤが一対の前記導電脚と電気的に連接し、前記内台は、その前が前記中空前台に収容され可能であり、その後ろが前記後台に収容され可能であり、互いに平行する少なくとも二つの割り溝を有し、二つの前記割り溝はそれぞれ前記導電脚を収容し、前記内台の前面には、一対の前記導電脚にそれぞれ対応する一対の通し孔が設けられ、前記内台の上では、開閉可能なカバーが設けられ、前記カバーの内面に凹み空間が設けられ、前記中空前台は、前記内台の前に嵌合され、その正面に前記内台の前記通し孔に対応する貫通孔が形成され、前記内台の前記凹み空間に対応する位置に弾性条が設けられ、前記弾性条には、前が斜面であり三角状を呈する係止ブロックが設けられ、前記弾性条の末端には、突出する押さえブロックが設けられ、前記後台は、前記内台の後ろに嵌合され、前記押さえブロックに応じて切り欠が設けられ、前記押さえブロックが前記切り欠から外部に露呈し、前記凹み空間へ前記押さえブロックを押さえると、前記係止ブロックが変位するプラグ構造と、
電力を受ける電器に取付けられ、ケースを有し、前記ケースには、前記前台の輪郭に合せ可能な進入穴が設けられ、前記前台は前記進入穴に挿入可能であり、前記ケースの内部に一対の導電端子が設けられ、前記プラグ構造の前記前台を挿入するときには、前記導電端子が前記通し孔と前記貫通孔とを挿通して前記導電脚と電気的に連接し、前記進入穴の内壁面には、前記前台の前記弾性条の前記係止ブロックに応じて、三角状を呈する係り穴が設けられ、前記プラグ構造を挿入するときには、前記係止ブロックが前記係り穴に係止され、これにより、前記プラグ構造が係止され、なお、前記押さえブロックを押圧することによって前記係止ブロックを変位すると、前記プラグ構造の係止状態が解除されるコンセント構造と、
を備えることを特徴とする。
【０００８】
本考案の係止式コネクタによると、前記プラグ構造の前記前台はＤ字形の断面形状を有し、前記コンセント構造の前記進入穴もＤ字形の断面形状を有することを特徴とする。
【０００９】
本考案の係止式コネクタによると、前記プラグ構造の前記前台の前記弾性条の前記押さえブロックが前記弾性条の後側から突出し、前記押さえブロックの両側と前記中空前台の後側との間に切欠部がそれぞれ形成され、前記内台の後に保護枠が形成され、前記保護枠の両側がそれぞれ前記切欠部に嵌め込まれて前記押さえブロックを包むことを特徴とする。
【００１０】
本考案の係止式コネクタによると、前記プラグ構造の前記後台の上面と下面との後側に突出リブがそれぞれ設けられることを特徴とする。
【００１１】
本考案の係止式コネクタによると、前記プラグ構造の前記後台の上面と下面とに設けられた前記突出リブの近傍に多数の滑止皺がそれぞれ設けられることを特徴とする。
【００１２】
本考案の係止式コネクタによると、前記プラグ構造の前記前台の表面に止めリブが環設され、前記後台の前縁が前記止めリブに止められることを特徴とする。
【００１３】
本考案の係止式コネクタによると、前記プラグ構造の前記後台にある前記ケーブルは、前記プラグ構造の後側から延びることを特徴とする。
【００１４】
本考案の係止式コネクタによると、前記プラグ構造の前記後台にある前記ケーブルは、前記プラグ構造の側面から延びることを特徴とする。
【００１５】
本考案のプラグ構造によると、係止式コネクタに適用され、電力を受ける電器に取付けられるコンセント構造に挿入されて電力を供給し、中空前台と、一対の導電脚を収容する内台と、ケーブルが延びる後台と、を含み、前記ケーブルのワイヤが一対の前記導電脚と電気的に連接し、前記内台は、その前方が前記中空前台に収容され可能であり、その後方が前記後台に収容され可能であり、互いに平行する少なくとも二つの割り溝を有し、二つの前記割り溝はそれぞれ前記導電脚を収容し、前記内台の前面には、一対の前記導電脚にそれぞれ対応する一対の通し孔が設けられ、前記内台の上では、開閉可能なカバーが設けられ、前記カバーの内面に凹み空間が設けられ、前記中空前台は、前記内台の前に嵌合され、前記内台の前記通し孔に対応する貫通孔が形成され、前記内台の前記凹み空間に対応する位置に弾性条が設けられ、前記弾性条には、前が斜面であり三角状を呈する係止ブロックが設けられ、前記弾性条の末端には、突出する押さえブロックが設けられ、前記後台は、前記内台の後ろに嵌合され、前記押さえブロックに応じて切り欠が設けられ、前記押さえブロックが前記切り欠から外部に露呈し、前記凹み空間へ前記押さえブロックを押さえると、前記係止ブロックが変位するプラグ構造において、
前記コンセント構造は、前記前台の輪郭に合せ可能な進入穴が設けられ、前記前台は前記進入穴に挿入可能であり、その内部に一対の導電端子が設けられ、前記プラグ構造の前記前台を挿入するときには、前記導電端子が前記通し孔と前記貫通孔とを挿通して前記導電脚と電気的に連接し、前記進入穴の内壁面には、前記前台の前記弾性条の前記係止ブロックに応じて、三角状を呈する係り穴が設けられ、前記プラグ構造を挿入するときには、前記係止ブロックが前記係り穴に係止され、これにより、前記プラグ構造が係止され、なお、前記押さえブロックを押圧することによって前記係止ブロックを変位すると、前記プラグ構造の係止状態が解除されることを特徴とする。
【考案の効果】
【００１６】
本考案の係止式コネクタによれば、金型の設計が容易になり、製造が簡単になり、そして組合せ作業が容易になり、ひいては生産コストを減少することができるという効果を有する。
【図面の簡単な説明】
【００１７】
【図１】本考案の分解斜視図である。
【図１Ａ】図１を別の視点から見た中空前台の斜視図である。
【図１Ｂ】図１を別の視点から見たコンセント構造の斜視図である。
【図２】本考案の組合済み状態の斜視図である。
【図３】本考案の組合済み状態の断面図である。
【図４】本考案の使用状態を示す模式図である。
【図５】本考案の別の実施例の分解斜視図であって、後台のケーブルが側面から延びる。
【図６】本考案の中空前台に内台を組合った状態の斜視図である。
【図７】本考案のプラグ構造の別の実施例の斜視図である。
【考案を実施するための形態】
【００１８】
以下、本考案の実施の形態を図面に基づいて説明する。
まず、図１及び図２を参照する。本考案の係止式コネクタは、プラグ構造１０と、コンセント構造２０と、から構成される。
【００１９】
本考案のプラグ構造１０は、中空前台１１と、一対の導電脚１２１を収容する内台１２と、ケーブル１３１が延びる後台１３と、を含む。前記ケーブル１３１のワイヤが一対の前記導電脚１２１と電気的に連接する。
【００２０】
前記内台１２は、図３に示すように、その前が前記中空前台１１に収容され可能であり、その後ろが前記後台１３に収容され可能であり、互いに平行する二つの割り溝１２２を有し、二つの前記割り溝１２２はそれぞれ前記導電脚１２１を収容する。前記内台１２の前面には、一対の前記導電脚１２１にそれぞれ対応する一対の通し孔１２３が設けられる。前記内台１２の上では、開閉可能なカバー１２４が設けられ、前記カバー１２４の内面に凹み空間１２５が設けられる。前記内台１２の後ろに保護枠１２６が形成される。
【００２１】
前記中空前台１１は、図１のＡに示すように、前記内台１２の前に嵌合され、Ｄ字形の断面形状を有し、その正面に前記内台１２の前記通し孔１２３に対応する貫通孔１１１が形成され、前記内台１２の前記凹み空間１２５に対応する位置に弾性条１１２が設けられる。前記弾性条１１２には、前が斜面であり三角状を呈する係止ブロック１１３が設けられる。前記弾性条１１２の末端には、突出する押さえブロック１１４が設けられる。前記弾性条１１２の前記押さえブロック１１４が前記弾性条１１２の後側から突出する。前記押さえブロック１１４の両側と前記中空前台１１の後側との間に切欠部１１５がそれぞれ形成される。図６に示すように、前記内台１２の後に保護枠１２６が形成され、前記保護枠１２６の両側がそれぞれ前記切欠部１１５に嵌め込まれて前記押さえブロック１１４を包む。これにより、前記押さえブロック１１４の移動可能な空間が規制され、すなわち、図４に示すように、前記押さえブロック１１４は押圧による移動だけが可能である。前記前台１１の表面に止めリブ１１６が環設される。
【００２２】
前記後台１３は、図２及び図３に示すように、前記内台１２の後ろに嵌合され、前記押さえブロック１１４に応じて切り欠１３２が設けられ、前記押さえブロック１１４が前記切り欠１３２から外部に露呈する。図４に示すように、前記凹み空間１２５へ前記押さえブロック１１４を押さえると、前記係止ブロック１１３が変位する。前記後台１３の前縁が前記止めリブ１１６に止められる。
【００２３】
本考案の係止式コネクタはコンセント構造２０を有し、前記コンセント構造２０は、電力を受ける電器（図示せず）に取付けられ、前記コンセント構造２０に前記プラグ構造１０を挿入すると、前記電器が電力を受けることができる。前記コンセント構造２０は、ケース２１を有し、前記ケース２１は前記電器と結合する凸縁２２を有する。図１のＢに示すように、前記ケース２１には、前記前台１１の輪郭に合せ可能な進入穴２３が設けられ、前記前台１１は前記進入穴２３に挿入可能であり、前記進入穴２３はＤ字形の断面形状を有する。前記ケース２１の内部に一対の導電端子２４が設けられ、前記プラグ構造１０の前記前台１１を挿入するときには、前記導電端子２４が前記通し孔１１１と前記貫通孔１２３とを挿通して前記導電脚１２１と電気的に連接する。前記進入穴２３の内壁面には、前記前台１１の前記弾性条１１２の前記係止ブロック１１３に応じて、三角状を呈する係り穴２５が設けられる。前記コンセント構造２０に前記プラグ構造１０を挿入するときには、図３に示すように、前記係止ブロック１１３が前記係り穴２５に係止され、これにより、前記プラグ構造１０が係止される。
【００２４】
前記コンセント構造２０から前記プラグ構造１０を抜き出したいときには、図４に示すように、前記押さえブロック１１４を押圧することにより、前記弾性条１１２の前記係止ブロック１１３が前記係り穴２５から離脱し、これにより、前記係止ブロック１１３と前記係り穴２５との係止が解除され、前記コンセント構造２０から前記プラグ構造１０を抜き出すことができる。
【００２５】
また、前記プラグ構造１０の抜出を容易にするために、前記プラグ構造１０の前記後台１３の上面と下面とに突出リブ１３３が設けられ、前記突出リブ１３３の近傍に多数の滑止皺１３４がそれぞれ設けられる。
【００２６】
図１及び図２に示す実施例では、前記プラグ構造１０の前記後台１３にある前記ケーブル１３１が前記後台１３の後面から延びるが、もちろん、図５に示すように、ケーブル１３１が後台の側面から延びてもよい。
【００２７】
上記の説明から明らかなように、本考案の係止式コネクタによれば、金型の設計が容易になり、製造が簡単になり、そして組合せ作業が容易になり、ひいては生産コストを減少することができる。
【００２８】
また、図７を参照する。図７は本考案のプラグ構造１０の別の実施例の斜視図である。本実施例は、上記の実施例に類似するが、中空前台１１の正面にある一対の貫通孔１１１の中央の下に第３貫通孔１１１ａが設けられ、これにより、三つの挿入孔を有するプラグ構造１０が形成される。本実施例のコンセント構造２０に第３導電端子（図示せず）が設けられ、内台１２に第３導電脚（図示せず）が設けられ、前記第３導電脚によりアース構造が構成される。本実施例は、従来の三つの挿入孔を有するコネクタと同じであるため、説明を省略した。
【００２９】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００３０】
本考案は、コネクタに適用することができる。
【符号の説明】
【００３１】
１０：プラグ構造、１１：中空前台、１２：内台、１３：後台、２０：コンセント構造、２１：ケース、２２：凸縁、２３：進入穴、２４：導電端子、２５：係り穴、１１１：貫通孔、１１１ａ：第３貫通孔、１１２：弾性条、１１３：係止ブロック、１１４：押さえブロック、１１５：切欠部、１１６：止めリブ、１２１：導電脚、１２２：割り溝、１２３：通し孔、１２４：カバー、１２５：凹み空間、１２６：保護枠、１３１：ケーブル、１３２：切り欠、１３３：突出リブ、１３４：滑止皺
【図１】
0003163966.tif 000003
【図１Ａ】
0003163966.tif 000004
【図１Ｂ】
0003163966.tif 000005
【図２】
0003163966.tif 000006
【図３】
0003163966.tif 000007
【図４】
0003163966.tif 000008
【図５】
0003163966.tif 000009
【図６】
0003163966.tif 000010
【図７】
0003163966.tif 000011
【手続補正書】
【提出日】平成22年9月8日(2010.9.8)
【手続補正１】
【補正対象書類名】実用新案登録請求の範囲
【補正対象項目名】請求項９
【補正方法】変更
【補正の内容】
【請求項９】
請求項１記載の係止式コネクタに適用され、電力を受ける電器に取付けられるコンセント構造に挿入されて電力を供給し、中空前台と、一対の導電脚を収容する内台と、ケーブルが延びる後台と、を含み、前記ケーブルのワイヤが一対の前記導電脚と電気的に連接し、前記内台は、その前方が前記中空前台に収容され可能であり、その後方が前記後台に収容され可能であり、互いに平行する少なくとも二つの割り溝を有し、二つの前記割り溝はそれぞれ前記導電脚を収容し、前記内台の前面には、一対の前記導電脚にそれぞれ対応する一対の通し孔が設けられ、前記内台の上では、開閉可能なカバーが設けられ、前記カバーの内面に凹み空間が設けられ、前記中空前台は、前記内台の前に嵌合され、前記内台の前記通し孔に対応する貫通孔が形成され、前記内台の前記凹み空間に対応する位置に弾性条が設けられ、前記弾性条には、前が斜面であり三角状を呈する係止ブロックが設けられ、前記弾性条の末端には、突出する押さえブロックが設けられ、前記後台は、前記内台の後ろに嵌合され、前記押さえブロックに応じて切り欠が設けられ、前記押さえブロックが前記切り欠から外部に露呈し、前記凹み空間へ前記押さえブロックを押さえると、前記係止ブロックが変位するプラグ構造において、
前記コンセント構造は、前記前台の輪郭に合せ可能な進入穴が設けられ、前記前台は前記進入穴に挿入可能であり、その内部に一対の導電端子が設けられ、前記プラグ構造の前記前台を挿入するときには、前記導電端子が前記通し孔と前記貫通孔とを挿通して前記導電脚と電気的に連接し、前記進入穴の内壁面には、前記前台の前記弾性条の前記係止ブロックに応じて、三角状を呈する係り穴が設けられ、前記プラグ構造を挿入するときには、前記係止ブロックが前記係り穴に係止され、これにより、前記プラグ構造が係止され、なお、前記押さえブロックを押圧することによって前記係止ブロックを変位すると、前記プラグ構造の係止状態が解除されることを特徴とするプラグ構造。